(57)【要約】【課題】高温化した室内の熱を効率的に室外に放熱させて収納庫に温度上昇を抑制する。【解決手段】収容局舎１の開口部７を開閉する開閉扉８の内面に冷却ユニット１０と換気ユニット２０に取り付ける。冷却ユニット１０の吸気ファン１３によって箱型ユニット５内の空気を取り込まれ、冷却ユニット１０に冷却された空気を排気ファン１４によって箱型ユニット５に送風する。換気ユニット２０の吸気ファン２３の吸気ファン１３によって床パネル４の下側空間部３１から通風路１０Ａに外気が取り込まれ、排気ファン２４よって、冷却ユニット１０によって暖められた通風路１０Ａ内の空気が案内ダクト４０から天井パネル２の上側空間部３０から外部に排気される。これにより、冷却ユニット１０によって箱型ユニット５の室温上昇が抑えられる。【選択図】　　　図１
2004036955.tif 000002
【特許請求の範囲】
【請求項１】
パネルをほぼ箱型に連結して箱型ユニットを構成し、この箱型ユニットの内部に電気機器を収容するとともに、箱型ユニットの出入り口に開閉自在な扉体を設けた収納庫用空調装置であって、前記扉体の内面側に循環用の送風機を備えた冷却ユニットを設けるとともに、外気を導入する通風路を備え、この通風路内の空気を箱型ユニットの外部に排気して前記冷却ユニットの排熱を外部に排気する換気ユニットとを備えたことを特徴とする収納庫用空調装置。
【請求項２】
前記箱型ユニットの天井裏と床裏側にそれぞれ外部と連通する空間部を形成し、この空間部と前記換気ユニットの吸気口と排気口とを連通する案内ダクトを設けたことを特徴とする請求項１記載の収納庫用空調装置。
【発明の詳細な説明】
【０００１】
【産業上の利用分野】
本発明は、携帯電話などの電波中継用の無線機などを収容する収納庫、特に熱対策として冷却ユニットと換気ユニットを備えた収納庫用空調装置に関する。
【０００２】
【従来の技術】
近年、携帯電話の普及に伴い携帯電話の電波を中継するための無線中継局舎が多数建設されている。このような無線中継局舎は無人化が進み、単に電波中継用の無線機器を設置するだけで中継局としての機能を果たすことから、こうした無人の無線機器収容局舎は、居住空間として快適性や環境設備を考慮する必要はないため、できるだけ建設コストを抑えた極力簡易な構造が望まれている。
【０００３】
そこで、本願出願人は、特開平１１−２１０１０６号公報でパネルを箱型に組んだ収納庫を提案している。この箱型ユニットは、外気温の影響を極力抑える目的で箱型ユニットの壁面の全てを断熱材から成る芯材層の両側を金属パネルで挟むように積層一体化した断熱パネルで構成している。
【０００４】
こうして製造した箱型ユニットは内部に無線機器を設置して無線機器収容局舎などとして使用されるものであるが、近年、携帯電話の普及あるいは携帯電話の多機能化などに伴って箱型ユニットに収容する無線機器が高出力化され、無線機器からの発熱量も増加してきている。このため、無線機器からの発熱によって無線機器収容局舎の室温が５０度以上に達し、室外より室内が高くなる。特に夏季においては外気温の上昇と、無線機器の発熱によって室内の温度が上昇し、箱型ユニットの室温が外気温よりはるかに高くなってしまう。このような室温の上昇は、収容する無線機器には好ましい状況ではない。このため、室内の温度上昇を抑制するために、箱型ユニットの内部に換気装置及び冷却用の空調装置などを配置している。
【０００５】
しかし、箱型ユニットの内部に換気装置及冷却用の空調装置などを配置する場合、それだけ、内部の収納空間が狭くなる。このため、例えば、特開平８−１２６１３０号公報で開示されるように、箱型ユニットの天井裏空間に冷却ユニットと換気ユニットを設け、箱型ユニット内の上部の熱を吸熱し、その吸熱量を冷却ユニットの放熱フィンにより放熱して換気ユニットにより吸気口から排気口へ強制対流させて本体内を冷却するように構成した収納庫用の換気装置が知られている。
【０００６】
このような、収納庫用の換気装置は、冷却ユニットと換気ユニットを天井裏空間に配置することにより、収納庫内の空間に広い収納スペースを確保できるものの、天井裏の狭い空間に冷却ユニットと換気ユニットが配置されているため、例えば、メンテナンスなどの保守点検作業の際、狭い空間に天井裏に立ち入ることができないため、保守点検作業が極めてやりづらい。さらに、冷却ユニットが天井部分に取り付けられているため、冷却ユニットから滴下した結露水が電機機器にかかると、電気的なトラブルを誘発することになる。
【０００７】
そこで、本発明は、換気装置などで収納庫の室内空間を狭めることなく、収納庫の室温を調整することができるとともに、保守点検が容易で、かつ、結露による機器の悪影響もない収納庫用空調装置を提供することを目的とする。
【０００８】
【課題を解決するための手段】
前記課題を解決するために、請求項１の収納庫用空調装置は、パネルをほぼ箱型に連結して箱型ユニットを構成し、この箱型ユニットの内部に電気機器を収容するとともに、箱型ユニットの出入り口に開閉自在な扉体を設けた収納庫用空調装置であって、前記扉体の内面側に循環用の送風機を備えた冷却ユニットを設けるとともに、外気を導入する通風路を備え、この通風路内の空気を箱型ユニットの外部に排気して前記冷却ユニットの排熱を外部に排気する換気ユニットとを備えたものである。
【０００９】
上記構成により、冷却ユニットの送風機を駆動することにより、箱型ユニット内の空気が冷却ユニットのケーシングに取り込まれ、冷却ユニットによって熱交換される。冷却された空気は再び箱型ユニット内に再び送風され、この空気の循環によって、電気機器からの排熱や外気温などによって室温が上昇した箱型ユニットの室内が冷却される。また、冷却ユニットからの放熱によって暖められた空気は換気ユニットの通風路内を通って外部に排気される。
【００１０】
請求項２の収納庫用空調装置は、前記請求項１の収納庫用空調装置において、前記箱型ユニットの天井裏と床裏側にそれぞれ外部と連通する空間部を形成し、この空間部と前記換気ユニットの吸気口と排気口とを連通する案内ダクトを設けたものである。
【００１１】
上記構成により、床パネルの下側空間部から案内ダクトを通って換気ユニットの通風路に外気が取り込まれ、この通風路を通る空気は案内ダクトから天井パネルの上側空間部へと排気され、さらに、天井パネルに形成する通気孔から冷却ユニットからの排熱で暖められた空気が外部に排気される。
【００１２】
【発明の実施形態】
以下、本発明の一実施例を添付図面を参照して説明する。図１は本発明の一実施例を示し、同図において、１は携帯電話などの電波を中継する収納庫たる無線機器収容局舎（以下、単に収容局舎という）である。この収容局舎１は天井パネル２と、側壁パネル３と、床パネル４とを箱型に連結した箱型ユニット５によって構成されている。この箱型ユニット５の内部には携帯電話の電波を中継するための電気機器として通信機器６が収容されている。前記箱型ユニット５の一側面には出入り口となる開口部７と、この開口部７を開閉する例えば観音開き式の開閉扉８が設けられている。また、箱型ユニット５の裏面側には枠状のフレーム９が固定され、このフレーム９を設置面に打設した基礎コンクリートに埋設したアンカーボルト（図示しない）によって据付固定している。
【００１３】
また、収容局舎１を構成する天井パネル２と、側壁パネル３と、床パネル４は図示しない断熱材の両側をアルミあるいはステンレスなどから成る金属パネルで挟むように積層一体化した断熱パネルによって構成している。
【００１４】
前記開閉扉８の内面パネル８Ｂには前記冷却ユニット１０と換気ユニット２０を組み付ける箱型のケース１１が固定されている。冷却ユニット１０はケーシング１２を備え、このケーシング１２の内部に図示しない冷却手段を設けるとともに、ケーシング１２の内面に形成する吸気口１３Ａ，排気口１４Ａにそれぞれ送風機たる吸気ファン１３と排気ファン１４を固定している。また、前記ケース１１の内部には前記冷却ユニット１０の排熱を外部に排気するために通風路１０Ａが形成され、この通風路１０Ａと連通するように前記ケース１１の内面にそれぞれ送風機たる吸気ファン２３と排気ファン２４を備えた吸気口２１と排気口２２が形成されている。また、前記天井パネル２と箱型ユニット２の内天板５Ａとの間には上側空間部３０が形成され、さらに、床パネル４の裏面側には下側空間部３１が形成されている。そして、上側空間部３０は天井パネル２に形成する通気孔３５，３６によって外部と連通し、下側空間部３１は箱型ユニット５の裏面側に設けた枠状のフレーム９に形成する通気孔３７によって外部に連通している。また、前記内天板５Ａと床パネル４には開閉扉８に形成する前記吸気口２１と排気口２２と連通する案内ダクト４０，４１が固定されている。なお、前記開口部７の周縁には前記開閉扉８の周縁と密着して開閉扉８の気密性を保つパッキン部材４５が装着されている。
【００１５】
以上のように、構成される本実施例の作用・効果について説明する。冷却ユニット１０を駆動することにより、吸気ファン１３によって吸気口１３Ａから箱型ユニット５内の空気が冷却ユニット１０のケーシング１２に取り込まれ、冷却ユニット１０によって熱交換され、冷却された空気が排気ファン１４によって排気口１４Ａから再び箱型ユニット５内に再び送風される。このような空気の循環によって、通信機器６からの排熱や外気温などによって上昇した箱型ユニット５の室温をコントロールする。また、換気ユニット２０を駆動することにより、吸気ファン２３によって床パネル４の下側空間部３１から通風路１０Ａに外気が取り込まれ、排気ファン２４よって、冷却ユニット１０によって暖められた通風路１０Ａ内の空気が案内ダクト４０から天井パネル２の上側空間部３０へと送風され、さらに、天井パネル２に形成する通気孔３５，３６から外部に排気される。このように冷却ユニット１０で加熱した空気を換気ユニット２０に外部に排気することにより、冷却ユニット１０によって箱型ユニット５の室温上昇を招く心配はない。
【００１６】
以上のように、本実施例では、開閉扉８の内面に冷却ユニット１０と換気ユニット２０を設け、冷却ユニット１０によって箱型ユニット５の温度上昇を抑制することができるとともに、冷却ユニット１０の排熱によって加熱された空気が箱型ユニット５の外部に排出されるから、冷却ユニット１０によって効率的に箱型ユニット５の温度上昇を抑えることができる。
【００１７】
また、箱型ユニット５によって冷却ユニット１０のケーシング１２の熱を外部に放熱することにより、ケーシング１２内外の温度差も少なくなるため、結露の発生も抑えることができるとともに、冷却ユニット１０と換気ユニット２０を開閉扉８の内面に設けることで、仮に結露が発生しても、その結露水が通信機器６に直接的に落ちることがないため、結露水により通信機器６の電気的な悪影響もない。さらに、開閉扉８の外面的に冷却ユニット１０と換気ユニット２０が露出しないため、外観的にも体裁がよく、また、開閉扉８の内面に取り付けた冷却ユニット１０と換気ユニット２０にあっては、メンテナンスなどの保守点検も容易である。
【００１８】
以上、本発明の実施例について詳述したが、本発明は前記実施例に限定されるものではなく、本発明の要旨の範囲内で種々の変形実施が可能である。例えば、無線機器収容局舎の基本的構造などは適宜設定すればよい。また、断熱パネルや外壁材の材質などもアルミやステンレスに限らず熱伝導性に優れた材質であればよい。また、冷却ユニットと換気ユニットの構成やダクトの位置なども適宜選定すればよいものである。
【００１９】
【発明の効果】
請求項１の収納庫用空調装置によれば、パネルをほぼ箱型に連結して箱型ユニットを構成し、この箱型ユニットの内部に電気機器を収容するとともに、箱型ユニットの出入り口に開閉自在な扉体を設けた収納庫用空調装置であって、前記扉体の内面側に循環用の送風機を備えた冷却ユニットを設けるとともに、外気を導入する通風路を備え、この通風路内の空気を箱型ユニットの外部に排気して前記冷却ユニットの排熱を外部に排気する換気ユニットとを備えたものであるから、箱型ユニットの温度を調整する冷却ユニットと換気ユニットとを組み付けることにより、外面的に冷却ユニットと換気ユニットが露出しないため、外観的にも体裁がよく、また、開閉扉の内面に取り付けた冷却ユニットと換気ユニットにあっては、メンテナンスなどの保守点検も容易である。
【００２０】
請求項２の収納庫用空調装置によれば、前記請求項１の収納庫用空調装置において、前記箱型ユニットの天井裏と床裏側にそれぞれ外部と連通する空間部を形成し、この空間部と前記換気ユニットの吸気口と排気口とを連通する案内ダクトを設けたものであるから、換気ユニットの通風路を通って冷却ユニットで暖められた空気が案内ダクトから天井パネルの上側空間部へと排気され、さらに、天井パネルに形成する通気孔から外部に確実に排気される。
【図面の簡単な説明】
【図１】本発明の一実施例を示す無線機器収容局舎の概略説明図である。
【符号の説明】
１　無線機器収容局舎（収納庫）
５　箱型ユニット
６　通信機器（電気機器）
７　開口部（出入り口）
８　開閉扉
１０　冷却ユニット
１３，２３　吸気ファン（送風機）
１４，２４　排気ファン（送風機）
２０　換気ユニット
３０　上側空間部
３１　下側空間部
４０，４１　案内ダクト
【図１】
2004036955.tif 000003